(57)【要約】【課題】基板と基板とを安価な構成で電気的に接続すること。【解決手段】第１のプリント配線板１と、第２のプリント配線板２と、第１のプリント配線板と第２のプリント配線板を上下に配置して各プリント配線板のパターンを電気的に接続するための複数のピン３が平行に樹脂で保持されたコネクタ４とを備え、ピンは一端のみが垂直に折り曲げられて成り、第１のプリント配線板の第２のプリント配線板と対向する面に、表面実装される他の表面実装部品と同時に半田付けにより表面実装され、ピンの他端は第２のプリント配線板に設けられた穴に貫通挿入され、他の挿入実装部品と同時に第２のプリント配線板のピンの先端が突出した側の面で半田付けされる構成とすることにより、安価な接続構成とすることができる。【選択図】図１
2012043593.tif 000002
【特許請求の範囲】
【請求項１】
第１のプリント配線板と、第２のプリント配線板と、前記第１のプリント配線板と前記第２のプリント配線板を上下に配置して各プリント配線板のパターンを電気的に接続するための複数のピンが平行に樹脂で保持されたコネクタとを備え、前記ピンは一端のみが垂直に折り曲げられて成り、前記第１のプリント配線板の前記第２のプリント配線板と対向する面に、表面実装される他の表面実装部品と同時に半田付けにより表面実装され、前記ピンの他端は前記第２のプリント配線板に設けられた穴に貫通挿入され、他の挿入実装部品と同時に前記第２のプリント配線板の前記ピンの先端が突出した側の面で半田付けされる構成を有する誘導加熱調理器。
【請求項２】
前記ピンのうち少なくとも２本以上のピンの垂直に曲げられた部分を直線にし、前記第１のプリント配線板の前記コネクタの実装部分に貫通穴を設け、前記直線にしたピンが前記貫通穴に貫通挿入されるように構成する請求項１に記載の誘導加熱調理器。
【発明の詳細な説明】
【技術分野】
【０００１】
本発明は、調理容器などの被加熱物を加熱する誘導加熱調理器に関する。
【背景技術】
【０００２】
近年、鍋やフライパンなどの調理容器を、加熱コイルにより誘導加熱する誘導加熱調理器が、一般家庭や業務用のキッチンなどで広く用いられている。中でも、電源電圧２００Ｖのビルトインタイプの誘導加熱調理器には、複数の加熱バーナーを有するものがあり、各加熱バーナーの加熱を制御するために複数の制御基板を有しており、コネクタ等を用いて各基板のパターンを電気的に接続している（例えば特許文献１参照）。また、基板と基板を電気的に接続する方策として、オス側のコネクタとそれを挿入するメス側のコネクタを一対として使用するものがある（例えば特許文献２参照）。
【先行技術文献】
【特許文献】
【０００３】
【特許文献１】特開２０１０−００３４８３号公報
【特許文献２】特開２００６−１５５９０５号公報
【発明の概要】
【発明が解決しようとする課題】
【０００４】
しかしながら、前記従来の構成では、基板同士の接続方法として、オス側とメス側のコネクタを１個ずつ使用しなければならず、部品コストが嵩むという課題があった。さらに、製品の組立工程において、コネクタ挿入工程が必要となり、組立工数が掛かるとともに、挿入不良の発生が懸念されるという課題を有していた。
【０００５】
本発明は、前記従来の課題を解決するもので、オス側のコネクタのみを使用して半田付けで基板と基板を接続して、部品コストを削減するとともに、コネクタ挿入工程を削除することができ、組立工数の削減およびコネクタ挿入不良の低減を図ることができる誘導加熱調理器を提供することを目的とする。
【課題を解決するための手段】
【０００６】
前記従来の目的を達成するために、本発明の誘導加熱調理器は、第１のプリント配線板と、第２のプリント配線板と、前記第１のプリント配線板と前記第２のプリント配線板を上下に配置して各プリント配線板のパターンを電気的に接続するための複数のピンが平行に樹脂で保持されたコネクタとを備え、前記ピンは一端のみが垂直に折り曲げられて成り、前記第１のプリント配線板の前記第２のプリント配線板と対向する面に、表面実装される他の表面実装部品と同時に半田付けにより表面実装され、前記ピンの他端は前記第２のプリント配線板に設けられた穴に貫通挿入され、他の挿入実装部品と同時に前記第２のプリント配線板の前記ピンの先端が突出した側の面で半田付けされる構成を有するものである。
【０００７】
これにより、メス側のコネクタを使用しないために部品コストを削減できる。さらに、表面実装できるコネクタを使用することにより、前記第２のプリント配線板において部品の高密度実装が可能となり、プリント配線板面積を削減できコストダウンを図れる。また、製品組立工程中のコネクタ挿入工程を削除することができ、組立工数の削減およびコネクタ挿入不良の低減を図ることができる。
【発明の効果】
【０００８】
本発明の誘導加熱調理器は、オス側のコネクタのみを使用して半田付けで基板と基板を接続するため、部品コストを削減することができる。さらに、表面実装できるコネクタを使用することにより、その他部品も表面実装品を使用することができるため、部品の高密度実装が可能となり、プリント配線板面積を削減できコストダウンを図れる。製品組立工程のうちコネクタ挿入工程を削除することができ、組立工数の削減およびコネクタ挿入不良の低減を図ることができる。
【図面の簡単な説明】
【０００９】
【図１】本発明の実施の形態１における誘導加熱調理器の基板接続構成図
【図２】本発明の実施の形態２における誘導加熱調理器の基板接続構成図
【発明を実施するための形態】
【００１０】
第１の発明は、第１のプリント配線板と、第２のプリント配線板と、前記第１のプリント配線板と前記第２のプリント配線板を上下に配置して各プリント配線板のパターンを電気的に接続するための複数のピンが平行に樹脂で保持されたコネクタとを備え、前記ピンは一端のみが垂直に折り曲げられて成り、前記第１のプリント配線板の前記第２のプリント配線板と対向する面に、表面実装される他の表面実装部品と同時に半田付けにより表面実装され、前記ピンの他端は前記第２のプリント配線板に設けられた穴に貫通挿入され、他の挿入実装部品と同時に前記第２のプリント配線板の前記ピンの先端が突出した側の面で半田付けされる構成を有する誘導加熱調理器である。
【００１１】
これにより、メス側のコネクタを使用しないために部品コストを削減できる。さらに、表面実装できるコネクタを使用することにより、前記第１のプリント配線板において部品の高密度実装が可能となり、プリント配線板面積を削減できコストダウンを図れる。また、製品組立工程中のコネクタ挿入工程を削除することができ、組立工数の削減およびコネクタ挿入不良の低減を図ることができる。
【００１２】
第２の発明は、特に、第１の発明の前記ピンのうち少なくとも２本以上のピンの垂直に曲げられた部分を直線にし、前記第１のプリント配線板の前記コネクタの実装部分に貫通穴を設け、前記直線にしたピンが前記貫通穴に貫通挿入されるように構成したものである。これにより、表面実装では半田付け工程時に部品の位置ずれが発生する可能性があるが、上記の構成により、前記コネクタが半田付け工程時にずれることを防ぎ、実装不良の削減を図ることができる。
【００１３】
以下本発明の実施の形態について、図面を参照しながら説明する。なお、この実施の形態によって本発明が限定されるものではない。
【００１４】
（実施の形態１）
図１は、本発明の第１の実施の形態における誘導加熱調理器の基板接続構成図である。図１において、第１のプリント配線板１と第２のプリント配線板２は上下に配置されている（図１では第１のプリント配線板が上、第２のプリント配線板が下）。
【００１５】
これらの基板のパターンの電気的な接続には、複数のピン３（図１では２本）が平行に樹脂で保持されたコネクタ４（一般的にオス側コネクタと呼称される）を用いる。前記ピン３は、一端のみが垂直に折り曲げられて成っており、前記第１のプリント配線板１の下面に、表面実装される他の表面実装部品６と同時に半田付けにより表面実装される。
【００１６】
前記ピン３の他端は、前記第２のプリント配線板２に設けられた穴に貫通挿入され、他の挿入実装部品７と同時に前記第２のプリント配線板２の下面で半田付けされる。このような構成により、前記第１のプリント配線板１および前記第２のプリント配線板２のパタ
ーンが電気的に接続される。
【００１７】
以上の構成により、プリント配線板とプリント配線板の電気的な接続には一般的にはオス側とメス側の一対のコネクタを用いるところを、オス側のコネクタのみで接続ができるため、メス側コネクタの部品コストを削減することができる。
【００１８】
オス・メス一対のコネクタを用いる場合、製品の組立工程においてコネクタ挿入工程が必要になるが、今回の構成では半田付けにより接続するため、コネクタ挿入工程を削除することができ、製品組立工数を削減するとともに、コネクタ挿入不良を回避することができる。
【００１９】
また、表面実装できるコネクタを使用することにより、前記第１のプリント配線板１において部品の高密度実装を実現することができ、プリント配線板面積を削減し、コストダウンを図ることができる。
【００２０】
前記第１のプリント配線板１の前記第２のプリント配線板２と対向する面と反対の面および、前記第２のプリント配線板２の前記第１のプリント配線板１と対向する面では、表面実装および貫通挿入実装のどちらを採用しても良い、あるいは部品を実装しなくても良い。
【００２１】
（実施の形態２）
図２は、本発明の第２の実施の形態における誘導加熱調理器の基板接続構成図である。実施の形態１における表面実装する部品は、半田付け工程時に位置ずれが発生する可能性があるが、これを防ぐために、図２に示すような構成としてもよい。
【００２２】
図２において、前記ピン３のうち少なくとも２本以上のピンの垂直に曲げられた部分は直線に加工されている（直線ピン８）。さらに、前記第１のプリント配線板１に貫通穴を設け、前記直線ピン８が前記貫通穴に貫通挿入されるように構成する。
【００２３】
以上の構成により、前記コネクタ４は前記第１のプリント配線板１に表面実装される際に位置がずれることがなく、実装不良を低減することができる。
【産業上の利用可能性】
【００２４】
以上のように、本発明にかかる誘導加熱調理器は、安価な構成で基板の電気的接続を実現できるので、一般家庭やレストランなどで使用される誘導加熱調理器などの調理機器、空調機器、工業用機器などのプリント配線板を備えた機器の用途にも適用できる。
【符号の説明】
【００２５】
１  第１のプリント配線板
２  第２のプリント配線板
３  ピン
４  コネクタ
５  半田
６  表面実装部品
７  挿入実装部品
８  直線ピン
【図１】
2012043593.tif 000003
【図２】
2012043593.tif 000004